(57)【要約】【課題】既存のシステムを活用しながら様々な情報をユーザに提供することができるようにする。【解決手段】情報提供システム１においては、テレビジョン装置２から出力される音声信号をノートパソコン３及びインターネット５を順次介して照合対象音声特徴データとして情報管理サーバ４に送信し、当該情報管理サーバで各放送チャネルにそれぞれ対応する各放送チャネル音声特徴データごとに照合処理を実行し、当該照合結果の一致率に基づいて特定された放送チャネルに対応する各種提供情報をノートパソコン３に送信するようにしたことにより、既存のテレビジョン装置２であっても当該音声信号に対応する各種提供情報をユーザに供給することができ、かくして、既存のシステムを活用しながら様々な情報をユーザに提供することができる。【選択図】        図５
2004213570.tif 000002
【特許請求の範囲】
【請求項１】
情報端末装置と、複数の放送チャネルに対してそれぞれ所定単位ごとに対応付けられた複数種類の提供情報を管理する情報管理サーバとがネットワークを介して接続されてなる情報提供システムの情報提供方法において、
上記情報端末装置では、
所定の放送装置から送出される音声信号を集音する第１のステップと、
上記音声信号に基づいて、上記情報管理サーバ側で照合する際の対象となる照合対象音声情報を生成する第２のステップと、
上記照合対象音声情報を上記ネットワークを介して上記情報管理サーバに送信する第３のステップと
を具え、
上記情報管理サーバでは、
上記照合対象音声情報を受信する第４のステップと、
上記照合対象音声情報について、複数の放送形式に係る放送波から得られる各上記放送チャネルの上記音声信号ごとに照合して一致率を算出する第５のステップと、
上記一致率に基づいて特定された上記放送チャネルに対応付けられた各上記提供情報を上記情報端末装置に送信する第６のステップと
を具えることを特徴とする情報提供方法。
【請求項２】
上記情報端末装置は、少なくともマイクロフォンを有する可搬型情報端末装置である
ことを特徴とする請求項１に記載の情報提供方法。
【請求項３】
第３のステップでは、
上記情報端末装置の処理能力を表す処理能力情報を生成する処理能力情報生成ステップを具え、
上記処理能力情報を上記照合対象音声情報と共に上記ネットワークを介して上記情報管理サーバに送信し、
上記第６のステップでは、
上記照合の一致率に基づいて特定された上記放送チャネルに対応する各上記提供情報を、上記処理能力情報に基づいて選択する提供情報選択ステップと
を具えることを特徴とする請求１に記載の情報提供方法。
【請求項４】
上記第３のステップでは、
上記第２のステップで上記照合対象音声情報を生成し始める時点の時刻を計時する時刻計時ステップを具え、
上記時刻を上記照合対象音声情報と共に上記ネットワークを介して上記情報管理サーバに送信し、
上記第６のステップでは、
上記時刻に基づいて上記情報端末装置のシステムクロックを補正するための補正クロック情報を生成するクロック補正ステップを具え、
上記各上記提供情報と共に上記補正クロック情報を上記情報端末装置に送信する
ことを特徴とする請求１に記載の情報提供方法。
【請求項５】
各上記提供情報は、所定の条件に応じて上記情報端末装置に送信される複数のデータ群に大別されて管理される
ことを特徴とする請求１に記載の情報提供方法。
【請求項６】
上記第６のステップでは、
上記照合の一致率に基づいて特定された上記放送チャネルが有料放送であった場合にのみ、当該有料放送における情報配信料を割引するためのアンケート情報を各上記提供情報と共に上記情報端末装置に送信する
ことを特徴とする請求項１に記載の情報提供方法。
【発明の詳細な説明】
【０００１】
【発明の属する技術分野】
本発明は情報提供方法に関し、例えば、テレビジョン装置で現在視聴されるテレビ番組に関連するインターネット上のホームページ等を自動的にユーザに提供する情報提供システムに適用して好適なものである。
【０００２】
【従来の技術】
従来、情報提供システムにおいては、放送局では電子番組案内（ＥｌｅｃｔｏｒｏｎｉｃＰｒｏｇｒａｍ  Ｇｕｉｄｅ）と、その電子番組案内における個々のテレビ番組に付加されたＵＲＬ（Ｕｎｉｆｏｒｍ  Ｒｅｓｏｕｒｃｅ  Ｌｏｃａｔｏｒ）とでなる視聴チャネル情報を送信し、一方、インターネットへの接続機能を有するテレビジョン装置では当該視聴チャネル情報に基づいて現在視聴されているテレビ番組に関連するＵＲＬを特定し、その特定したＵＲＬへ自動的にアクセスすることにより当該ＵＲＬに対応するホームページを表示画面上の一部に表示するようになされている（例えば特許文献１）。
【０００３】
【特許文献１】
特開平１０−１７７５３２号公報
【０００４】
【発明が解決しようとする課題】
ところでかかる構成の情報提供システムにおいては、テレビ番組に関連する情報の種類がＵＲＬに限られているのみならず、接続機能を有するテレビジョン装置以外の既存のテレビジョン装置には当該ＵＲＬに係るホームページを提供できないという問題があった。
【０００５】
本発明は以上の点を考慮してなされたもので、既存のシステムを活用しながら、様々な種類の情報をユーザに提供し得る情報提供システムにおける情報提供方法を提案しようとするものである。
【０００６】
【課題を解決するための手段】
かかる課題を解決するため本発明においては、情報端末装置と、複数の放送チャネルに対してそれぞれ所定単位ごとに対応付けられた複数種類の提供情報を管理する情報管理サーバとがネットワークを介して接続されてなる情報提供システムの情報提供方法において、情報端末装置では、所定の放送装置から送出される音声信号を集音し、その音声信号に基づいて、情報管理サーバ側で照合する際の対象となる照合対象音声情報を生成し、その照合対象音声情報をネットワークを介して情報管理サーバに送信し、一方、情報管理サーバでは、照合対象音声情報を受信し、当該照合対象音声情報について、複数の放送形式に係る放送波から得られる各放送チャネルの音声信号ごとに照合して一致率を算出し、当該一致率に基づいて特定された放送チャネルに対応付けられた各提供情報を情報端末装置に送信する。
【０００７】
この場合、情報提供システムは、情報端末装置及び情報管理サーバのいずれもが放送チャネルに含まれる既存の音声信号に基づいて各処理を実行するので、例えば既存のテレビジョン装置等の放送装置であった場合においても、当該放送装置から出力される音声信号に対応する複数種類の提供情報をユーザに供給することができると共に、各種放送方式のフォーマットを変更することもなく複数種類の提供情報をユーザに供給することができる。
【０００８】
【発明の実施の形態】
以下、図面について、本発明の一実施の形態を詳述する。
【０００９】
（１）情報提供システムの構成
図１において、１は全体として情報提供システムを示し、自宅や駅構内等の所定の場所に設置されたテレビジョン装置２と、ノート形状でなる可搬型パーソナルコンピュータ（以下、これをノートパソコンと呼ぶ）３と、所定の放送チャネルを放送する放送業者やその他の業者が提供する提供情報を管理する情報管理サーバ４とを有し、当該ノートパソコン３と情報管理サーバ４とがインターネット５を介して相互に各種データを送受信し得るようになされている。
【００１０】
情報提供システム１では、ノートパソコン３のユーザがテレビジョン装置２で現在放送されている放送番組を視聴している際に、当該ユーザがノートパソコン３を用いて放送番組に関する提供情報を取得するための所定の情報取得操作を行うと、ノートパソコン３は、当該放送番組の音声信号に基づいて音声波形の特徴を抽出し、その抽出結果をインターネット５を介して情報管理サーバ４に送信する。
【００１１】
この場合、情報管理サーバ４は、ノートパソコン３で抽出された音声波形の特徴に基づいて放送チャネル及び放送番組の時間帯を特定し、当該放送番組の時間帯に予め対応付けられている提供情報をインターネット５を介して送信するようになされている。
【００１２】
（２）ノートパソコンの内部構成
図２に示すように、ノートパソコン３においては、当該ノートパソコン２を統括的に制御するためのＣＰＵ（Ｃｅｎｔｒａｌ  Ｐｒｏｃｅｓｓｉｎｇ  Ｕｎｉｔ）  １０にバス１１を介してＲＯＭ（Ｒｅａｄ  Ｏｎｌｙ  Ｍｅｍｏｒｙ）１２、ワークエリアとしてのＲＡＭ（Ｒａｎｄｏｍ  ＡｃｃｅｓｓＭｅｍｏｒｙ）１３、ハードディスクドライブ（以下、これをＨＤＤと呼ぶ）１４、システムクロック１５、表示部１６、操作部１７、マイクロフォン２２から集音される音声信号をディジタル化すると共にスピーカ２３の音量等を制御する音声制御部１８、情報管理サーバ４と各種データを送受信するためのネットワークインターフェイス１９及びＵＳＢ（Ｕｎｉｖｅｒｓａｌ  Ｓｅｒｉａｌ  Ｂｕｓ）インターフェイス２０が接続されて構成される。
【００１３】
ＲＯＭ１２には、ハードウェアの間接的な制御等を実現するための基本プログラムが格納され、またＨＤＤ１４には、情報管理サーバ４から各種データを取得するためのデータ取得プログラムや各種アプリケーションプログラム等が格納されている。
【００１４】
ＣＰＵ１０は、ＲＯＭ１２及びＨＤＤ１４に格納された各種プログラムを適宜読み出してＲＡＭ１３に展開し、バス１１を介して各部を制御することにより各種処理を実行する。
【００１５】
例えば、ＣＰＵ１０は、ＵＳＢインターフェイス２０を介して例えば５．１チャネル対応のスピーカ等の他の電子機器が接続されている場合、ＵＳＢインターフェイス２０を制御して当該電子機器との間でデータの授受を実行し得るようになされている。
【００１６】
ところで、ＣＰＵ１０は、操作部１７を介して所定の情報取得操作が行われると、ＨＤＤ１４に格納されたデータ取得プログラムを読み出してＲＡＭ１３に展開し、当該データ取得プログラムに応じた所定の手順に従ってデータ取得処理を実行するようになされている。
【００１７】
（３）情報管理サーバの内部構成
図３に示すように、情報管理サーバ４においては、当該情報管理サーバ４を統括的に制御するためのＣＰＵ３０にバス３１を介してＲＯＭ３２、ワークエリアとしてのＲＡＭ３３、ＨＤＤ３４、基準時計部３５、ノートパソコン３と各種データを送受信するためのネットワークインターフェイス３６及び放送チャネルの音声信号の特徴を抽出する特徴抽出部３７が接続されて構成される。
【００１８】
特徴抽出部３７には放送チャネル受信部３８が接続されており、当該放送チャネル受信部３８には、各放送業者によって放送されるテレビジョン放送や衛星放送等の複数の放送方式にそれぞれ対応する複数のアンテナ（図示せず）やチューナ等が設けられている。
【００１９】
ＲＯＭ３２には、ハードウェアの間接的な制御等を実現するための基本プログラムが格納され、ＨＤＤ３４には、ノートパソコン３に各種データを供給するためのデータ供給プログラムや、複数の放送チャネルを介してそれぞれ放送される例えば１カ月分の各放送番組の日時を示す番組日時テーブルが格納されると共に、当該放送番組に関連する複数種類の提供情報が番組日時テーブルに対応付けられて格納されている。
【００２０】
かかる提供情報は、図４に示すように、当該提供情報の取得要求があった情報端末装置（ノートパソコン３）に必ず送信される第１のデータ群と、当該取得要求があった情報端末装置の処理能力に応じて送信される第２のデータ群と、情報管理サーバ４で特定した放送チャネルが有料放送であった場合にのみ送信される第３のデータ群とに大別されて管理される。
【００２１】
第１のデータ群は、データ内容に応じてカテゴリ別に分けられて格納され、具体的には所定の放送番組のタイトル、放送時間帯、内容のあらすじ、再放送の有無やその他放送番組の内容に関連する情報を表す番組内容データと、当該放送番組の内容に関連するホームページのアクセス方法及びアクセス場所を表すＵＲＬ（Ｕｎｉｆｏｒｍ  Ｒｅｓｏｕｒｃｅ  Ｌｏｃａｔｏｒ）と、当該放送番組に係る各シーンにおける服の販売先及び写真、料理のレシピ及び写真やその他放送番組に係る各シーン毎に利用されているものに関連する情報を表す広告データとでなる。
【００２２】
また第２のデータ群についても、データ内容に応じてカテゴリ別に分けられて格納され、具体的には所定の放送番組で放送されるカメラアングルとは異なるカメラアングルの映像でなる動画像データ（以下、これを異視点動画像データと呼ぶ）、当該放送番組の音声に対応した手話映像の手話動画データ、当該放送番組の画質よりも高画質でなる高画質動画データ、その他放送番組に関連する動画データ、当該放送番組で放送されるテーマソングの音声データ、当該放送番組で放送される音声よりも高品質な音声を奏する５．１チャネル方式の音声データ（以下、これを５．１音声データと呼ぶ）及びその他放送番組に関連する音声データでなる。
【００２３】
因みに第２のデータ群に係る各動画像データ及び音声データについては、例えばＭＰＥＧ（Ｍｏｖｉｎｇ  Ｐｉｃｔｕｒｅ  Ｅｘｐｅｒｔｓ  Ｇｒｏｕｐ）と呼ばれる符号化方式によりデータ圧縮されて格納される。
【００２４】
また第３のデータ群は、所定の有料放送を放送する放送業者に対する意見や、当該有料放送業者が用意した質問事項等を表すアンケートデータが各放送業者ごとに格納されている。
【００２５】
因みに情報管理サーバ４においては、情報管理サーバ４の管理者により、第１又は第２のデータ群におけるカテゴリを新設又は抹消し得るようになされていると共に、ＨＤＤ３４に格納された番組日時テーブルや各種データを更新又は削除し、さらに新たな種類のデータをＨＤＤ３４に格納し得るようになされている。
【００２６】
ＣＰＵ３０は、ＲＯＭ３２に格納された基本プログラムを読み出してＲＡＭ３３に展開し、当該展開した基本プログラムに応じてバス３１を介して基準時計部３５及び特徴抽出部３７を常時制御する。
【００２７】
この場合、特徴抽出部３７は、複数の放送方式にそれぞれ対応する各放送波に係る全ての放送チャネルの音声信号を、放送チャネル受信部３８のアンテナ及びチューナ等を順次介して常時受信する。
【００２８】
そして特徴抽出部３７は、各放送チャネルの音声信号それぞれについて例えば５秒単位でアナログディジタル変換処理、ＦＦＴ（Ｆａｓｔ  Ｆｏｕｒｉｅｒ  Ｔｒａｎｓｆｏｒｍ）処理及び正規化処理を順次施し、その結果得られた各放送チャネルの音声信号にそれぞれ対応する周波数成分のデータ（以下、これを放送チャネル音声特徴データと呼ぶ）を例えば５分間だけＨＤＤ３４に記憶し、その後は順次更新する。
【００２９】
このようにして特徴抽出部３７は、複数の放送方式にそれぞれ対応する各放送波に係る全ての放送チャネルにおける音声信号の波形特徴を表す周波数成分を、それぞれ放送チャネル音声特徴データとしてＨＤＤ３４に更新しながら記憶するようになされている。
【００３０】
また基準時計部３５は、例えば日本国において基準となる時刻を刻む所定の基準時計装置から送信される当該時刻に基づいて、自身が常に正確な時刻を刻むように時刻管理するようになされている。
【００３１】
またＣＰＵ３０は、ＨＤＤ３４に格納されたデータ供給プログラムを読み出してＲＡＭ３３に展開し、バス３１を介して各部を制御することにより当該データ供給プログラムに応じた所定の手順に従ってデータ供給処理を実行するようになされている。
【００３２】
（４）情報提供処理
図５に示すように、情報提供システムにおける情報提供処理の手順について、データ取得処理を実行するノートパソコン３のＣＰＵ１０（以下、これを取得側ＣＰＵ１０と呼ぶ）における処理手順と、データ供給処理を実行する情報管理サーバ４のＣＰＵ３０（以下、これを供給側ＣＰＵ３０と呼ぶ）における処理手順とに分けたフローチャートを用いて説明する。
【００３３】
すなわち、取得側ＣＰＵ１０は、操作部１７を介して所定の情報取得操作が行われると、ルーチンＲＴ１の開始ステップから次のステップＳＰ１１に移って、マイクロフォン２２を介して音声信号を入力したか否かを判断する。ここで否定結果が得られると、このことは未だ音声信号がマイクロフォン２２を介して音声制御部１８に入力されていないことを表しており、このとき取得側ＣＰＵ１０は、当該音声信号を入力するまで待ち受ける。
【００３４】
これに対して肯定結果得られると、このことは音声信号がマイクロフォン２２を介して音声制御部１８に入力され始めたことを表しており、このとき取得側ＣＰＵ１０は、次の取得要求データ生成処理ルーチンＳＲＴ１に移る。
【００３５】
図６に示すように、取得側ＣＰＵ１０は、取得要求データ生成ルーチンＳＲＴ１の開始ステップから次のステップＳＰ２１に移って、マイクロフォン２２を介して音声信号が入力され始めた時点における「年」、「月」、「時」、「分」、、「秒」、「ミリ秒」及び「マイクロ秒」でなる時刻をシステムクロック１５に基づいて認識し、当該認識した時刻を入力時刻データとして生成した後、次のステップ２２に移る。
【００３６】
取得側ＣＰＵ１０は、ステップＳＰ２２において、音声制御部１８を制御し、当該音声制御部１８に入力された音声信号をシステムクロック１５に基づいて例えば１分間だけ音声制御部１８を介してディジタル化する。
【００３７】
そして取得側ＣＰＵ１０は、ディジタル化した結果得られる単位時間分の音声データについて、情報管理サーバ４における特徴抽出部３７と同一の時間単位（例えば５秒単位）でＦＦＴ処理及び正規化処理を順次施し、その結果得られる音声信号（音声制御部１８に入力された音声信号）に対応する周波数成分のデータを、情報管理サーバ４側で照合する際の対象となるデータ（以下、これを照合対象音声特徴データと呼ぶ）として生成した後、次のステップＳＰ２３に移る。
【００３８】
取得側ＣＰＵ１０は、ステップＳＰ２３において、自身の処理能力、ＲＡＭ１２の容量、バス１１を介して接続される各部の性能及びＵＳＢインターフェイス２０を介して接続される電子機器等に基づいて、ノートパソコン３における画像処理能力及び音声処理能力を認識し、当該認識した処理能力を処理能力データとして生成した後、次のステップＳＰ２４へ移る。
【００３９】
取得側ＣＰＵ１０は、ステップＳＰ２４において、ステップＳＰ２１〜ＳＰ２３で順次生成した入力時刻データ、照合対象音声特徴データ及び処理能力データを取得要求データとしてネットワークインターフェイス１９を介して情報管理サーバ４へ送信した後、次のステップＳＰ１２（図５）に移る。
【００４０】
一方、供給側ＣＰＵ３０は、所定の電源投入操作が行われると、ルーチンＲＴ２の開始ステップから次のステップＳＰ１０１に移って、取得要求データを受けたか否かを判断する。ここで否定結果が得られると、このことは未だネットワークインターフェイス３６を介してノートパソコン３から取得要求データを受信していないことを表しており、このとき供給側ＣＰＵ３０は、当該取得要求データを待ち受ける。
【００４１】
これに対してステップＳＰ１０１で肯定結果が得られると、このことはネットワークインターフェイス３６を介してノートパソコン３から取得要求データを受信したことを表しており、このとき供給側ＣＰＵ３０は、次の番組時間特定サブルーチンＳＲＴ１１を実行する。
【００４２】
図７に示すように、供給側ＣＰＵ３０は、番組時間特定サブルーチンＳＲＴ１１の開始ステップから次のステップＳＰ３１に移って、ステップＳＰ１０１（図５）で受信した取得要求データのうちの照合対象音声特徴データについて、ＨＤＤ３４に記憶された複数の放送チャネル音声特徴データごとに照合処理を実行する。
【００４３】
具体的に供給側ＣＰＵ３０は、照合対象音声特徴データを、複数の放送チャネル音声特徴データのうちから１つだけ選択した放送チャネル音声特徴データと照合し、当該選択した放送チャネル音声特徴データに対する照合対象音声特徴データの一致率を算出する。
【００４４】
そして供給側ＣＰＵ３０は、残りの放送チャネル音声特徴データについても同様にして一致率を算出し、次のステップＳＰ３２に移る。
【００４５】
供給側ＣＰＵ３０は、ステップＳＰ３２において、ステップＳＰ３１でそれぞれ算出した一致率が所定の閾値を越えているか否かを判断する。ここで否定結果が得られると、このことはノートパソコン３側で生成された照合対象音声特徴データに対応する放送チャネル音声特徴データが情報管理サーバ４のＨＤＤ３４に記憶されていない、すなわちノートパソコン３のマイクロフォン２２で集音された音声信号がノイズ等であって所定の放送チャネルの音声信号ではないことを表しており、このとき供給側ＣＰＵ３０は、次のステップＳＰ３３に移って、放送チャネルを特定できなかったことを通知した後、ステップＳＰ１０１（図５）に戻る。
【００４６】
これに対してステップＳＰ３２で肯定結果が得られると、このことはノートパソコン３のマイクロフォン２２で集音された音声信号が所定の放送チャネルの音声信号であることを表しており、このとき供給側ＣＰＵ３０は、次のステップＳＰ３４に移る。
【００４７】
供給側ＣＰＵ３０は、ステップＳＰ３４において、一致率が所定の閾値を越える放送チャネル音声特徴データに対応する放送チャネルを特定した後、ステップＳＰ１０１（図５）で受信した取得要求データのうちの入力時刻データに基づいてＨＤＤ３４に格納される番組日時テーブルを参照し、当該特定した放送チャネルにおける番組時間帯も特定し、次のデータ選択処理ルーチンＳＲＴ１２（図５）を実行する。
【００４８】
ここで、一致率が所定の閾値を越える放送チャネル音声特徴データが２以上存在していた場合、このことはノートパソコン３のマイクロフォン２２で集音された音声信号が２種類以上の放送チャネルの音声信号を含んでいる可能性があることを表しており、この場合、供給側ＣＰＵ３０は、当該２以上の放送チャネル音声特徴データにそれぞれ対応する各放送チャネルを特定した後、当該各放送チャネルの番組時間帯もそれぞれ特定するようになされている。
【００４９】
図８に示すように、供給側ＣＰＵ３０は、データ選択処理ルーチンＳＲＴ１２の開始ステップから次のステップＳＰ４１に移って、ＨＤＤ３４に格納されている提供データのうち、ステップＳＰ３４で特定した番組時間帯に対応付けられている第１及び第２のデータ群に係る各種データ（図４）を認識し、次のステップＳＰ４２に移る。
【００５０】
供給側ＣＰＵ３０は、ステップＳＰ４２において、ステップＳＰ１０１（図５）で受信した取得要求データのうちの処理能力データに基づいて、ノートパソコン３における画像処理能力及び音声処理能力を認識し、次のステップＳＰ４３に移る。
【００５１】
供給側ＣＰＵ３０は、ステップＳＰ４３において、ステップＳＰ４２で認識したノートパソコン３における画像処理能力及び音声処理能力に基づいて、当該ノートパソコン３がステップＳＰ４１で認識した第２のデータ群に係る各種データの一部又は全部を処理できるか否かを判断する。
【００５２】
ここで否定結果が得られると、このことはノートパソコン３の処理能力として、例えば取得側ＣＰＵ１０の処理能力が低い、ＲＡＭ容量が少ない、あるいは動画像データ及び音声データを再生するためのハードウェアやソフトウェアの構成を有していない等、当該ノートパソコン３の処理能力では第２のデータ群に係る全てのデータを処理できないことを表しており、このとき供給側ＣＰＵ３０は、次のステップＳＰ４４に移って、第１のデータ群に係る各種データ（図４）だけを選択候補として認識した後、次のステップＳＰ４６に移る。
【００５３】
これに対してステップＳＰ４３で肯定結果が得られると、このことはノートパソコン３の処理能力で第２の情報に係る各種データの一部又は全部を処理できることを表しており、このとき供給側ＣＰＵ３０は、次のステップＳＰ４５に移って、第１のデータ群に係る各種データと、例えば第２のデータ群に係る各種データ全てとを選択候補として認識し、次のステップＳＰ４６に移る。
【００５４】
因みに供給側ＣＰＵ３０は、例えば、５．１チャネル方式の音声データ含む各種音声データを再生する能力はあるが、ＭＰＥＧ２に準拠した各種動画像データを復号化するためのハードウェアやソフトウェアを有しておらず動画像データを再生する能力がないと判断した場合には、第１のデータ群に係る各種データと、第２のデータ群に係る各種データ（図４）のうち音声データ、５．１Ｃｈ音声データ及びその他の音声データとを選択候補として認識するようになされている。
【００５５】
供給側ＣＰＵ３０は、ステップＳＰ４６において、第３のデータ群に係るアンケートデータがステップＳＰ３４で特定した番組時間帯に対応付けられている場合には、当該ステップＳＰ３４（図６）で特定した放送チャネルが有料放送であると判断し、当該アンケートデータを選択候補として認識し、次のステップＳＰ４７に移る。
【００５６】
供給側ＣＰＵ３０は、ステップＳＰ４７において、ノートパソコン３側のシステムクロック１５が正確に刻まれているか否かを判断する。具体的に供給側ＣＰＵ３０は、ステップＳＰ１０１（図５）で受信した入力時刻データの時刻と、当該入力時刻データと共に受信した照合対象音声特徴データに対応する放送チャネル音声特徴データ（ステップＳＰ３２（図７）で照合対象音声特徴データとの一致率が所定の閾値を越えていると判断した放送チャネル音声特徴データ）に係る放送チャネルを特徴抽出部３７に入力した時点について基準時計部３５に基づいて予め計時しておいた時刻（「年」、「月」、「時」、「分」、「秒」、「ミリ秒」及び「マイクロ秒」）とを比較して一致するか否かを判断する。
【００５７】
ここで肯定結果が得られると、このことは同一時間帯で放送される放送番組の音声をマイクロフォン２２を介して入力された時刻を計時した基となっているノートパソコン３側のシステムクロック１５と、当該音声を放送チャネル受信部３８を介して特徴抽出部３７に入力された時刻を計時した基となっている情報管理サーバ４側の基準時計部３５とが一致する時刻が示され、すなわち常に正確な時刻を刻むように管理されている基準時計部３５と同じ時刻をシステムクロック１５が刻んでいることを表しており、このとき供給側ＣＰＵ３０は、次のステップＳＰ１０２（図５）に移る。
【００５８】
これに対して否定結果が得られると、このことはノートパソコン３側のシステムクロック１５と、情報管理サーバ４側の基準時計部３５とが一致する時刻が示されていない、すなわち基準時計部３５とは異なる時刻をシステムクロック１５が刻んでいることを表しており、このとき供給側ＣＰＵ３０は、次のステップＳＰ４８に移る。
【００５９】
供給側ＣＰＵ３０は、ステップＳＰ４８において、ノートパソコン３におけるシステムクロック１５を、正確な時刻を刻むように管理されている基準時計部３５で刻まれているクロックに補正させるためのクロック補正データを生成してＨＤＤ３４に一時的に記憶し、次のステップＳＰ１０２（図５）に移る。
【００６０】
供給側ＣＰＵ３０は、ステップＳＰ１０２において、データ選択処理ルーチンＳＲＴ１２（図６）で選択候補として認識した例えば第１、第２及び第３のデータ群に係る各種データ（図４）と、クロック補正データとに基づいて受信希望するデータを選択させるための選択画面データを生成した後、これをネットワークインターフェイス３６を介してノートパソコン３に送信し、次の希望データ供給処理ルーチンＳＲＴ１３を実行する。
【００６１】
ところで、取得側ＣＰＵ１０は、ステップＳＰ１２において、選択画面データを受信するまで待ち受けるようになされており、当該情報管理サーバ４から送信された選択画面データを受信すると、次のステップＳＰ１３に移る。
【００６２】
取得側ＣＰＵ１０は、ステップＳＰ１３において、ステップＳＰ１２で受信した選択画面データに基づいて、例えば図９に示すような選択画面ＣＰを表示部１６に表示し、受信を希望する情報に該当する各項目ＩＴ１〜ＩＴ５のいずれか又は組み合わせを選択すべきこと、また項目ＩＴ６を希望する場合にのみ選択すべきことをノートパソコン３のユーザに対して促し、次の希望データ取得処理ルーチンＳＲＴ２を実行する。
【００６３】
この場合、取得側ＣＰＵ１０は、選択画面ＣＰにおける各項目ＩＴ１〜ＩＴ６のうち、ステップＳＰ１３で選択された項目ＩＴ１〜ＩＴ６のいずれか又は組み合わせを表す項目決定データを生成して情報管理サーバ４に取得要求し、当該情報管理サーバ４の供給側ＣＰＵ３０は、ＨＤＤ３４に格納された第１、第２及び第３のデータ群に係る各種データ（図４）と、クロック補正データとのうち、選択決定項目データに対応するデータを読み出してノートパソコン３に供給する。
【００６４】
具体的に例えばノートパソコン３のユーザが項目ＩＴ１を選択した場合、取得側ＣＰＵ１０は、情報管理サーバ４から供給される番組内容データに基づいて番組タイトル、番組時間、番組内容のあらすじ、再放送の有無やその他の番組内容に関する情報を示す画面（図示せず）を表示部１６に表示する。
【００６５】
また例えばノートパソコン３のユーザが項目ＩＴ２、ＩＴ３ａ及びＩＴ５を選択した場合、取得側ＣＰＵ１０は、情報管理サーバ４から供給される広告データ、ＵＲＬ及びクロック補正データのうち、当該広告データとＵＲＬとに基づいて番組の各シーンで放送される服の販売先や写真等を示す画面（図示せず）及びＵＲＬ画面（図示せず）を表示部１６に表示し、またクロック補正データに基づいてシステムクロック１５を所定の基準時計装置と同一の時刻を刻むように補正する。
【００６６】
また例えばノートパソコン３のユーザが項目ＩＴ４ａを選択した場合、情報管理サーバ４の供給側ＣＰＵ３０は、第２のデータ群に係る異視点動画像データを読み出してノートパソコン３に供給する。その際、供給側ＣＰＵ３０は、選択画面ＣＰにおける項目ＩＴ６に対する選択の有無に係わらずクロック補正データを定期的に読み出し、当該読み出したノートパソコン３に供給するようになされている。
【００６７】
この場合ノートパソコン３の取得側ＣＰＵ１０は、クロック補正データに基づいて、正確な時刻を刻む基準時計部３５と同じ時刻を刻むようにシステムクロック１５を補正すると共に、インターネット５を経由する際の遅延時間や復号化する際の遅延時間等を考慮して所定時間分の異視点動画像データを表示部１６の内部メモリに一旦蓄積した後に順次復号化することにより、テレビジョン装置２（図１）で放送されている放送番組とほぼ確実に同期させた状態で当該放送番組のカメラアングルとは異なるカメラアングルでなる映像を表示部１６を介して再生（ストリーミング）し得るようになされている。
【００６８】
また例えばノートパソコン３のユーザが項目ＩＴ４ｂを選択した場合、当該項目ＩＴ４ａを選択した場合と同様に、情報管理サーバ４の供給側ＣＰＵ３０は、第２のデータ群に係る手話動画データを読み出すと共にクロック補正データも読み出してノートパソコン３に供給する。
【００６９】
この場合ノートパソコン３の取得側ＣＰＵ１０は、異視点動画像データを処理した場合と同様に、正確な時刻を刻むように補正されたシステムクロック１５に従って、遅延時間を考慮して所定時間分の異視点動画像データを表示部１６の内部メモリに一旦蓄積した後に順次復号化することにより、テレビジョン装置２（図１）で放送されている放送番組とほぼ確実に同期させた状態で当該放送番組に対応した手話映像を表示部１６を介して再生し得ると共に、バリアフリー効果をも実現し得るようになされている。
【００７０】
また例えばノートパソコン３のユーザが項目ＩＴ４ｆを選択した場合、当該項目ＩＴ４ａを選択した場合と同様に、情報管理サーバ４の供給側ＣＰＵ３０は、第２のデータ群に係る５．１音声データを読み出すと共にクロック補正データも読み出してノートパソコン３に供給する。
【００７１】
この場合ノートパソコン３の取得側ＣＰＵ１０は、異視点動画像データを処理した場合と同様に、正確な時刻を刻むように補正されたシステムクロック１５に従って、５．１音声データをＵＳＢインターフェイス２０及び５．１チャネル対応のスピーカを順次介して音声を出力することにより、テレビジョン装置２（図１）に表示されている番組とほぼ確実に同期させた状態で当該スピーカから臨場感あふれる高品質の音声を出力し得るようになされている。
【００７２】
また例えばノートパソコン３のユーザが項目ＩＴ６を選択した場合、ノートパソコン３の取得側ＣＰＵ１０は、情報管理サーバ４から供給されるアンケートデータに基づいてアンケート画面（図示せず）を表示部１６に表示し、当該アンケート内容について操作部１５を介して回答されるとアンケート回答データを生成して情報提供サーバ４に返信する。
【００７３】
この場合、情報管理サーバ４の供給側ＣＰＵ３０は、例えばテレビジョン装置２で有料放送される放送チャネルの月額の情報配信料を割引する電子割引情報としての電子割引クーポンデータを生成し、当該電子割引クーポンデータに対して所定の暗号化処理を施した後にノートパソコン３に供給し、その結果、ノートパソコン３のユーザに対して有料放送の番組を一段と利用し易くし得るようになされている。
【００７４】
このように情報提供システム１は、ユーザの嗜好に応じて様々な組み合わせで各種提供情報を提供し得るようになされており、当該各種提供情報の組み合わせによって、視覚的又は聴覚的な要素のみならずメンテナンス的な要素や料金形態要素までをも提供情報として提供することができ、かくして、従来に比してテレビジョン放送全般におけるユーザの視聴意欲を一段と向上させ得るようになされている。
【００７５】
（５）動作及び効果
以上の構成において、情報提供システム１は、ノートパソコン３では、テレビジョン装置２で放送される音声信号をマイクロフォン２２を介して集音し、当該音声信号の一部分における音声波形の特徴を表す周波数成分を照合対象音声特徴データとして生成した後、これをインターネット５を介して情報提供サーバ４に送信する。
【００７６】
一方、情報提供サーバ４では、インターネット５を介して受信した照合対象音声特徴データについて、放送チャネル受信部３８及び特徴抽出部３７を順次介してＨＤＤ３４に更新しながら記憶される各放送チャネルにそれぞれ対応する各放送チャネル音声特徴データごとに照合処理を実行し、当該照合結果の一致率に基づいて特定された放送チャネルに対応付けられた各種提供情報をノートパソコン３に送信するようにした。
【００７７】
この場合、情報提供システム１は、ノートパソコン３及び情報管理サーバ４のいずれもが放送チャネルに含まれる既存の音声信号に基づいて各種処理を実行するので、既存のテレビジョン装置２であっても当該テレビジョン装置２から出力される音声信号に対応する各種提供情報をユーザに供給することができるのみならず、各放送方式のフォーマット等を変更することもなく各種提供情報をユーザに供給することができる。
【００７８】
従って、情報提供システム１では、ユーザがノートパソコン３を所持してさえいれば、自宅に設置されるテレビジョン装置のみならず、駅構内やビルの壁面に設置されているテレビジョン装置等のように当該テレビジョン装置２の設置場所や、ユーザの視聴場所に係わらず各種提供情報を供給することができる。
【００７９】
また、情報提供システム１は、ノートパソコン３では、照合対象音声特徴データを生成した後に自身（ノートパソコン３）の処理能力を表す処理能力データを生成し、当該照合対象音声特徴データ及び処理能力データを情報提供サーバ４に送信し、情報管理サーバ４では、照合結果の一致率に基づいて特定された放送チャネルに対応する各種提供情報について、当該ノートパソコン３の処理能力に応じて提供情報を取捨選択した後に送信するようにした。
【００８０】
従って、情報提供システム１は、各種提供情報うち、予めノートパソコン３が処理できる提供情報だけを前もって送信することにより、当該ノートパソコン３のユーザが選択した提供情報を受信することができないといった不都合をほぼ確実に回避することができ、かくして、当該ユーザの期待感を損なわせることなく各種情報を提供することができる。
【００８１】
さらに、情報提供システム１は、ノートパソコン３では、照合対象音声特徴データを生成する際にマイクロフォン２２を介して入力された時点における時刻と、当該照合対象音声特徴データ及び入力時刻データを情報提供サーバ４に送信し、情報管理サーバ４では、照合結果の一致率に基づいて特定した放送チャネルを受信した時刻とに基づいて、ノートパソコン３のシステムクロック１５を補正するクロック補正データを生成し、これを各種提供情報と共にノートパソコン３に送信するようにした。
【００８２】
従って、情報提供システム１は、ノートパソコン３のユーザの意思に係わらず当該ノートパソコン３のシステムクロック１５を正確に補正することができる。
【００８３】
さらに、情報提供システム１は、情報管理サーバ４側では、送信すべき各種提供情報に動画像データ等、テレビジョン装置２で実際に放送されている放送番組の映像又は音声と同期すべきデータ（第２のデータ群における各種データ）が含まれている場合には自動的にクロック補正データも送信し、ノートパソコン３側では、ストリーミングを実行する前、及びストリーミングを実行しながら当該クロック補正データに基づいて正確な時刻を刻むように補正したシステムクロック１５に従って動画像データを順次復号化するようにした。
【００８４】
従って情報提供システム１は、ノートパソコン３のユーザの意思に係わらず、テレビジョン装置２（図１）で放送されている放送番組とほぼ確実に同期させた状態で当該動画像データを再生（ストリーミング）することができる。
【００８５】
以上の構成によれば、情報提供システム１においては、テレビジョン装置２から出力される音声信号をノートパソコン３及びインターネット５を順次介して照合対象音声特徴データとして情報管理サーバ４に送信し、当該情報管理サーバで各放送チャネルにそれぞれ対応する各放送チャネル音声特徴データごとに照合処理を実行し、当該照合結果の一致率に基づいて特定された放送チャネルに対応する各種提供情報をノートパソコン３に送信するようにしたことにより、既存のテレビジョン装置２であっても当該音声信号に対応する各種提供情報をユーザに供給することができ、かくして、既存のシステムを活用しながら各種情報をユーザに提供することができる。
【００８６】
（６）他の実施の形態
なお上述の実施の形態においては、テレビジョン装置２から出力される音声信号をマイクロフォン２２を介して入力する場合について述べたが、本発明はこれに限らず、当該テレビジョン装置２に音声出力端子が設けられ、ノートパソコン３に音声入力端子が設けられている場合には、当該テレビジョン装置２の音声出力端子から所定のケーブル及びノートパソコン３の音声入力端子を順次介して音声信号を入力するようにしても良い。
【００８７】
この場合、情報提供システム１は、ノートパソコン３側ではテレビジョン装置２から出力される音声信号の波形特徴を忠実に表した照合対象音声特徴データを生成することができ、その結果、情報管理サーバ４側ではほぼ確実に放送番組を特定することができ、かくして、テレビジョン装置２で現在放送されているユーザの所望する放送番組に関連する各種提供情報を提供することができる。
【００８８】
また上述の実施の形態においては、ＦＦＴ処理及び正規化処理を順次施すことにより得られる照合対象音声特徴データを照合対象音声情報として生成するようにした場合について述べたが、本発明はこれに限らず、例えば１又は複数の狭帯域フィルタによってフィルタリングしたり、あるいは当該フィルタリングにより得られた波形を検波することにより得られるデータ等、この他種々の手法により得られるデータを照合対象音声情報として生成するようにしても良く、またインターネット５のバンド幅で許容する範囲内であれば、マイクロフォン２２を介して入力される所定単位時間分の音声信号をそのまま照合対象音声情報として生成するようにしても良い。
【００８９】
この場合、情報管理サーバ４は、ノートパソコン３側で照合対象音声情報として生成する手法と同一の手法により、複数の放送形式に係る放送波から得られる各放送チャネルの音声情報ごとに照合するようにすれば、上述の実施の形態と同様の効果を得ることができる。
【００９０】
さらに上述の実施の形態においては、テレビジョン装置２から出力される音声信号の特徴を照合対象として用いるようにした場合について述べたが、本発明はこれに限らず、例えばテレビジョン装置２で現在放送されている放送番組の映像信号の特徴を照合対象として用いるようにしても良い。かかる映像信号をノートパソコン３に入力する手段としては、例えばテレビジョン装置２の映像出力端子から所定のケーブル及びノートパソコン３の映像入力端子を順次介して映像信号を入力したり、ノートパソコン３の撮像部によって撮像されたテレビジョン装置２の画面を映像信号として入力するようにしても良い。因みに、撮像部によって撮像された映像信号を入力する場合には、テレビジョン装置２の画面や撮像部による歪みを配慮して当該映像信号の特徴を照合対象として用いる必要があることはいうまでもない。
【００９１】
さらに上述の実施の形態においては、所定の情報取得操作が行われたとき、データ取得処理（図５）を実行する場合について述べたが、本発明はこれに限らず、ノートパソコン３に赤外線受信部が設けられている場合には、当該赤外線受信部を介してリモートコントローラから送信される所定の赤外線信号を受信したとき、データ取得処理（図５）を実行するようにしても良い。
【００９２】
この場合、ノートパソコン３における所定の情報取得操作をユーザに行わせることなくデータ取得処理（図５）を実行することができ、また赤外線受信部を介して受信した赤外線信号を放送チャネルを特定する際の補助手段として用いるようにすれば、当該用いない場合に比して放送チャネルを特定を早めることができる。
【００９３】
さらに上述の実施の形態においては、マイクロフォン２２を介して音声信号が入力され始めた時点、また所定の放送チャネルを特徴抽出部３７に入力した時点における「年」、「月」、「時」、「分」、「秒」、「ミリ秒」及び「マイクロ秒」でなる時刻を計時するようにした場合について述べたが、本発明はこれに限らず、「年」、「月」、「時」、「分」、「秒」及び「ミリ秒」でなる時刻を計時するようにしても良く、少なくとも「年」、「月」、「時」、「分」及び「秒」でなる時刻をも計時していれば良い。
【００９４】
この場合、情報管理サーバ４は、ノートパソコン３側で計時する時刻に対応させて特徴抽出部３７に入力した時点の時刻を計時するようにすれば、上述の実施の形態と同様の効果を得ることができる。
【００９５】
さらに上述の実施の形態においては、ノートパソコン３によって５．１音声データをＵＳＢインターフェイス２０及び５．１チャネル対応のスピーカを順次介して音声を出力するようにした場合について述べたが、本発明はこれに限らず、当該５．１音声データの音声を出力する際にテレビジョン装置２における音声をミュートするようにしても良く、あるいは５．１音声データの音声のうち前方２チャネル分の音声についてはテレビジョン装置２における音声を利用するようにしても良い。この場合、一段と臨場感あふれる高品質の音声をユーザに提供することができる。
【００９６】
さらに上述の実施の形態においては、提供情報を図４に示した体系でＨＤＤ３４に格納するようにした場合について述べたが、本発明はこれに限らず、この他種々の体系でＨＤＤ３４に格納するようにしても良い。
【００９７】
さらに上述の実施の形態においては、放送番組の内容に関連する各種提供情報を番組日時テーブルに対応付けるようにした場合について述べたが、本発明はこれに限らず、電子番組案内に対応付けるようにしても良い。
【００９８】
さらに上述の実施の形態においては、放送番組の内容ごとに各種提供情報を対応付けるようにした場合について述べたが、本発明はこれに限らず、例えば５分単位ごと等、所定の単位時間ごとに各種提供情報を対応付けるようにしても良い。
【００９９】
さらに上述の実施の形態においては、情報管理サーバ４側で特定した放送番組が有料放送であったときのみ、その放送番組における情報配信料を割引するためのアンケートデータを提供情報としてノートパソコン３に送信するようにした場合について述べたが、本発明はこれに限らず、情報管理サーバ４側で特定した放送番組が有料放送であるか否かに係わらず、ノートパソコン３からのデータ取得要求があった際には、例えばクイズ番組の放送番組中に当該クイズに対する回答を視聴者に求めるためのアンケートデータを提供情報として送信する等のように、当該放送番組と連動した双方向サービスであるこの他種々の視聴者参加型アンケート情報を提供情報として送信するようにしても良い。
【０１００】
この場合、情報管理サーバ４側で特定した放送番組がアナログ放送であった場合においても、インタラクティブ性（対話的な情報の授受）を実現することができる。
【０１０１】
また放送波とは異なる伝送路であるインターネット５を介して視聴者参加型アンケート情報の送受信を行うので、放送形式を変更することなくインタラクティブ性（対話的な情報の授受）を実現することができる。さらにかかる視聴者参加型のアンケート情報としては、所定の項目を選択することで回答を求めるといったようなアンケートのみならず、例えば所定の写真や音声等のデータを送信することで回答を求めるといったようなアンケートも適用することができる。
【０１０２】
さらに上述の実施の形態においては、情報管理サーバ４側では取得要求データを受けたとき（ステップＳＰ１０１）、番組時間特定サブルーチンＳＲＴ１１（図７）を実行して当該取得要求データのうちの照合対象音声特徴データに対応する放送番組の番組時間を特定するようにした場合について述べたが、本発明はこれに限らず、当該取得要求データを受けるたとき、番組時間特定サブルーチンＳＲＴ１１を実行する前に、照合対象音声特徴データがコマーシャルに対応するデータであるか否かを判断するようにしても良い。
【０１０３】
具体的には例えば各種コマーシャルに対応する音声データそれぞれについて、５秒単位でアナログディジタル変換処理、ＦＦＴ処理及び正規化処理を順次施し、その結果得られた周波数成分を表すコマーシャルの波形特徴データをＨＤＤ３４に予め記憶する。
【０１０４】
この状態において、情報管理サーバ４の供給側ＣＰＵ３０は、取得要求データを受けたとき、上述した番組時間特定サブルーチンＳＲＴ１１と同様に、照合対象音声特徴データと各コマーシャルの波形特徴データとを照合し、当該照合結果として照合対象音声特徴データがコマーシャルに係るデータであると判断した場合には、再度所定の取得操作を行う旨をノートパソコン３のユーザに通知し、これに対して照合対象音声特徴データがコマーシャルに係るデータではないと判断した場合にのみ次の番組時間特定サブルーチンＳＲＴ１１を実行する。
【０１０５】
このようにすれば、異なる放送チャネルで同一時間帯にコマーシャルが放送されていた場合であっても、確実にテレビジョン装置２で現在放送されている放送番組の番組時間を特定することができる。
【０１０６】
さらに上述の実施の形態においては、情報管理サーバ４のＨＤＤ３４で管理されている第２のデータ群に係る動画像データ等をダウンロードしながら再生（ストリーミング）するようにした場合について述べたが、本発明はこれに限らず、当該再生することなく単にダウンロードのみを行うようにしても良い。
【０１０７】
さらに上述の実施の形態においては、ノートパソコン３と情報管理サーバ４とがインターネット５を介して接続するようにした場合について述べたが、本発明はこれに限らず、例えばブルートゥース等、この他種々ネットワークを介して接続するようにしても良い。
【０１０８】
さらに上述の実施の形態においては、ノートパソコン３を図２について上述したような構成にした場合について述べたが、本発明はこれに限らず、ＣＰＵ１０にバス１１を介してＲＯＭ１２、ＲＡＭ１３、及びネットワークインターフェイス２０と、マイクロフォン又は音声入力端子とを有する構成であれば、この他種々の構成にするようにしても良い。
【０１０９】
さらに上述の実施の形態においては、放送装置としてテレビジョン装置２を適用するようにした場合について述べたが、本発明はこれに限らず、例えばラジオ受信機や、ケーブルテレビジョン受信機としてのパーソナルコンピュータ等にも適用するようにしても良く、要は、所定の放送方式の放送波を受信して放送するこの他種々の放送装置を適用することができる。
【０１１０】
この場合、情報管理サーバ４では、放送装置から送信される各放送方式の放送波を受信するためのアンテナやチューナ等を放送チャネル受信部３８に設け、当該放送チャネル受信部３８を介して当該放送波に係る全ての放送チャネルの音声信号の特徴を放送チャネル特徴データとしてそれぞれＨＤＤ３４に記憶するようにすれば、例えばラジオ番組で放送される音声信号に同期させて当該音声信号に対応する動画像データの映像を提供することができる等、上述の実施の形態と同様の効果を得ることができる。
【０１１１】
さらに上述の実施の形態においては、情報端末装置としてノートパソコン３を適用するようにした場合について述べたが、本発明はこれに限らず、例えばＰＤＡ（Ｐｅｒｓｏｎａｌ  Ｄｉｇｉｔａｌ  Ａｓｓｉｓｔａｎｔｓ）  や携帯電話機等の可搬型情報端末装置のみならず、デスクトップ型のパーソナルコンピュータ等のこの他種々の情報端末装置に適用するようにしても良く、要は、周囲の音声を集音する集音手段と、所定のネットワークを介して情報管理サーバ４との間で各種データを送受信する送受信手段とを少なくとも有するこの他種々の情報端末装置を適用することができる。
【０１１２】
かかる情報端末装置は、所定のネットワークを介して情報管理サーバ４に複数台接続されるされていても良く、また当該複数台の情報端末装置における種類が異なっていても良い。
【０１１３】
さらに上述の実施の形態においては、情報管理サーバ４を図３について上述したような構成にした場合について述べたが、本発明はこれに限らず、インターネット５を介して与えられる照合対象音声特徴データに基づいて、放送チャネル及び放送番組を特定し、当該特定した放送番組に関連する各種提供情報を送信するできる構成であれば、この他種々の構成にすることができる。
【０１１４】
さらに上述の実施の形態においては、情報提供システムとして、テレビジョン装置２と情報管理サーバ４とがインターネット５を介して接続された情報提供システム１を適用するようにした場合について述べたが、本発明はこれに限らず、かかる構成に加えて例えば予めＨＤＤに格納した電子番組案内等に基づいて、情報管理サーバ４によって特定された放送番組に対応する所定の単語をキーワードとして検索し、当該検索結果を提供情報としてノートパソコン３に供給するようになされた検索エンジンサーバを当該情報管理サーバ４に接続してなる情報提供システム等、要は、少なくともテレビジョン装置２等の放送装置と情報管理サーバ４とがインターネット５等の所定のネットワークを介して接続されてなるこの他種々の情報提供システムを本発明に適用することができる。
【０１１５】
【発明の効果】
上述のように本発明によれば、情報端末装置と、複数の放送チャネルに対してそれぞれ所定単位ごとに対応付けられた複数種類の提供情報を管理する情報管理サーバとがネットワークを介して接続されてなる情報提供システムの情報提供方法において、情報端末装置では、所定の放送装置から送出される音声信号を集音し、その音声信号に基づいて、情報管理サーバ側で照合する際の対象となる照合対象音声情報を生成し、その照合対象音声情報をネットワークを介して情報管理サーバに送信し、一方、情報管理サーバでは、照合対象音声情報を受信し、当該照合対象音声情報について、複数の放送形式に係る放送波から得られる各放送チャネルの音声信号ごとに照合して一致率を算出し、当該一致率に基づいて特定された放送チャネルに対応付けられた各提供情報を情報端末装置に送信するようにした。
【０１１６】
この場合、情報提供システムは、情報端末装置及び情報管理サーバのいずれもが放送チャネルに含まれる既存の音声信号に基づいて各処理を実行するので、例えば既存のテレビジョン装置等の放送装置であった場合においても、当該放送装置から出力される音声信号に対応する複数種類の提供情報をユーザに供給することができると共に、各種放送方式のフォーマットを変更することもなく複数種類の提供情報をユーザに供給することができ、かくして、既存のシステムを活用しながら様々な種類の情報をユーザに提供することができる。
【図面の簡単な説明】
【図１】情報提供システムの全体構成を示す略線図である。
【図２】ノートパソコンの内部構成を示すブロック図である。
【図３】情報管理サーバの内部構成を示すブロック図である。
【図４】提供情報の体系を示す略線図である。
【図５】情報提供システムにおける情報提供処理手順を示すフローチャートである。
【図６】取得要求データ生成処理手順を示すフローチャートである。
【図７】番組時間特定処理手順を示すフローチャートである。
【図８】データ選択処理手順を示すフローチャートである。
【図９】選択画面例を示す略線図である。
【符号の説明】
１……情報提供システム、２……テレビジョン装置、３……ノートパソコン、４……情報管理サーバ、５……インターネット、１０、３０……ＣＰＵ、１４、３４……ＨＤＤ、１５……システムクロック、１６……表示部、１９、３６……ネットワークインターフェイス、２０……ＵＳＢインターフェイス、２２……マイクロフォン、３５……基準時計部、３７……特徴抽出部、３８……放送チャネル受信部。
【図１】
2004213570.tif 000003
【図２】
2004213570.tif 000004
【図３】
2004213570.tif 000005
【図４】
2004213570.tif 000006
【図５】
2004213570.tif 000007
【図６】
2004213570.tif 000008
【図７】
2004213570.tif 000009
【図８】
2004213570.tif 000010
【図９】
2004213570.tif 000011